(57)【要約】【課題】水抜き孔への水の誘導が電線により阻害されない電線保護部材の水抜き構造を提供する。【解決手段】電線カバー１１の水抜き構造は、配索される電線の周囲を覆う壁部５３と、壁部５３を貫通する一対のスリット開口６３と、一対のスリット開口６３の隣接するそれぞれの開口端５５から立ち上がり、且つ曲面状の頂部５７を有して壁部５３の内面５９に突設される水誘導突部６１と、を備える。【選択図】図６
2014027754.tif 000002
【特許請求の範囲】
【請求項１】
配索される電線の周囲を覆う壁部と、
前記壁部を貫通する一対の水抜き孔と、
前記一対の水抜き孔の隣接するそれぞれの開口端から立ち上がり、且つ曲面状の頂部を有して前記壁部の内面に突設される水誘導突部と、
を備えることを特徴とする電線保護部材の水抜き構造。
【請求項２】
請求項１記載の電線保護部材の水抜き構造であって、
前記一対の水抜き孔が、前記電線の軸線に沿って併設されると共に、前記電線の軸線と交差する方向にそれぞれ延びたスリット開口とされ、
前記水誘導突部が、前記電線の軸線と交差する方向に延びた突条とされることを特徴とする電線保護部材の水抜き構造。
【請求項３】
請求項２に記載の電線保護部材の水抜き構造であって、
前記壁部が、前記電線の軸線に沿って延びる底部と、該底部の両側縁から起立する側部とを有し、
前記スリット開口が、前記底部と前記側部により形成される前記壁部の両隅部に設けられ、
前記突条が、前記両隅部の前記スリット開口の間に延設されていることを特徴とする電線保護部材の水抜き構造。
【発明の詳細な説明】
【技術分野】
【０００１】
本発明は、電線保護部材の水抜き構造に関する。
【背景技術】
【０００２】
電線保護部材である電線カバーやプロテクタ等において、内部に浸入した水を外部に排出する排水孔を設けるとともに、外部から排水孔が直接に被水することを防ぐ技術が知られている（例えば特許文献１参照）。
図９に示すように、この電線カバー５０１は、コネクタから引出された電線の周囲を取り囲む壁面５０３を備えており、壁面５０３にクランク状に屈曲して貫通する水抜き孔５０５が形成されている。水抜き孔５０５の屈曲部５０７を形成する内側面５０９は、壁面内部への連通孔５１１との上側接続部５１３から、壁面外部への連通孔５１１との下側接続部５１５への方向に移動するにつれて外部側に傾斜する斜面とされた。
【０００３】
この電線カバー５０１によれば、壁面５０３にクランク状に屈曲して貫通する水抜き孔５０５が形成されたことにより、電線カバー５０１の内部に侵入した水を排出できるとともに、水抜き孔５０５の壁面外側開口部５１７が被水しても、内部へ水が浸入しにくい電線カバー５０１にすることができる。
【先行技術文献】
【特許文献】
【０００４】
【特許文献１】特開２００５−１９０６９号公報
【発明の概要】
【発明が解決しようとする課題】
【０００５】
しかしながら、上述した電線カバー５０１は、振動等により電線がカバー内壁面５１９へ密着した場合、壁面内側開口部５２１が電線により塞がれることになり、結果として、水の排出を阻害する可能性がある。
【０００６】
本発明は上記状況に鑑みてなされたもので、その目的は、水抜き孔への水の誘導が電線により阻害されない電線保護部材の水抜き構造を提供することにある。
【課題を解決するための手段】
【０００７】
本発明に係る上記目的は、下記構成により達成される。
（１）  配索される電線の周囲を覆う壁部と、前記壁部を貫通する一対の水抜き孔と、前記一対の水抜き孔の隣接するそれぞれの開口端から立ち上がり、且つ曲面状の頂部を有して前記壁部の内面に突設される水誘導突部と、を備えることを特徴とする電線保護部材の水抜き構造。
【０００８】
上記（１）の構成の電線保護部材の水抜き構造によれば、電線を覆う壁部の内面に水誘導突部が突設されており、水誘導突部の頂部に電線が接触すると、電線は、接触位置で壁部から離れ、壁部との間に隙間を有して配置される。即ち、壁部と電線との間には隙間によって水の移動通路が確保される。これにより、壁部の内面を流れる水は、移動通路を伝い、電線によって阻害されることなく、スムーズに水抜き孔へと誘導されて、電線保護部材の外方へ排水される。また、水誘導突部が頂部を有する曲面状に形成されていることで、振動等によって接触した電線に傷つきが生じることはない。
【０００９】
（２）  上記（１）の構成の電線保護部材の水抜き構造であって、前記一対の水抜き孔が、前記電線の軸線に沿って併設されると共に、前記電線の軸線と交差する方向にそれぞれ延びたスリット開口とされ、前記水誘導突部が、前記電線の軸線と交差する方向に延びた突条とされることを特徴とする電線保護部材の水抜き構造。
【００１０】
上記（２）の構成の電線保護部材の水抜き構造によれば、一般的に断面円形状の電線が壁部の内面に接すると、電線は内面に線接触となり、水抜き孔が電線と交差する方向のスリット開口になっていることで、水抜き孔は電線から径方向へはみ出した部分が必ず開口となって確保される。これにより、スリット開口が電線の軸線に沿う方向に形成された場合のように、スリット開口が電線によって閉塞されることがない。また、一対の平行なスリット開口に挟まれるようにして水誘導突部である突条が形成されることで、電線が壁部の内面から離間して、それぞれのスリット開口が大きく開口される。これにより、表面張力等による排水抵抗が生じにくくなる。更に、突条が電線の軸線と交差する方向に延在していることで、振動等によって電線が移動しても、同等のスリット開口面積が確保され、排水性能が低下しない。
【００１１】
（３）  上記（２）の構成の電線保護部材の水抜き構造であって、前記壁部が、前記電線の軸線に沿って延びる底部と、該底部の両側縁から起立する側部とを有し、前記スリット開口が、前記底部と前記側部により形成される前記壁部の両隅部に設けられ、前記突条が、前記両隅部の前記スリット開口の間に延設されていることを特徴とする電線保護部材の水抜き構造。
【００１２】
上記（３）の構成の電線保護部材の水抜き構造によれば、スリット開口が底部を挟む両隅部に形成されることで、例えば一つの電線が隅部に沿って配索されることで、電線が底部と側部とに同時に線接触しても、電線と交差する方向のスリット開口が電線を横断して底部及び側部の双方で開口する。これにより、電線と底部との隙間を伝う水と、電線と側部との隙間を伝う水とのいずれもがスリット開口へ誘導可能となる。また、この際の電線は、スリット開口の間に延設された突条によって底部と側部とから離間されて、スリット開口は底部及び壁部のそれぞれでスリット開口面積が大きく確保される。
【発明の効果】
【００１３】
本発明に係る電線保護部材の水抜き構造によれば、水抜き孔への水の誘導が電線により阻害されることを防止できる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】本発明の第１実施形態に係る水抜き構造を備える電線カバーをコネクタと共に表した斜視図である。
【図２】（ａ）は図１に示したコネクタを電線導出側より見た斜視図、（ｂ）は図１に示したコネクタを相手コネクタ結合側から見た斜視図である。
【図３】図１に示した電線カバーの斜視図である。
【図４】図３に示した電線カバーを矢印Ａ方向から見た図である。
【図５】図４のＢ−Ｂ断面矢視図である。
【図６】図５のＣ部拡大図である。
【図７】電線が通された電線カバーの要部拡大図である。
【図８】本発明の第２実施形態に係る水抜き構造を備えるプロテクタの部分破断斜視図である。
【図９】従来の水抜き孔を備えた電線カバーの縦断面図である。
【発明を実施するための形態】
【００１６】
以下、本発明に係る実施形態を図面を参照して説明する。
本発明の一実施形態に係る水抜き構造は、電線保護部材である電線カバー１１やプロテクタ７３等に用いられる。本第１実施形態では、電線保護部材が電線カバー１１である場合を例に説明する。電線カバー１１は、図示しない相手コネクタとの挿入力を低減するためのレバー１３を備えたコネクタである例えば低挿入力コネクタ１５に適用することができる。
【００１７】
図１〜図２に示すように、低挿入力コネクタ１５は、コネクタハウジング１７に図示しない複数の端子を収容する。それぞれの端子には電線１９が接続され、電線１９は相手コネクタとの嵌合側と反対側のハウジング後部２１から導出される。
図３〜図５に示すように、電線カバー１１は、コネクタハウジング１７のハウジング後部２１に係止部２３を係止して装着され、電線１９を目的の方向に向けながら囲む。本第１実施形態では、ハウジング後部２１から導出された複数の電線１９は、コネクタ嵌合方向（図１の上下方向）と直交する方向に曲げられた状態で電線カバー１１によって覆われる。つまり、電線カバー１１は、Ｌ字に曲がった電線収容経路２５（図５参照）を有している。
【００１８】
電線カバー１１は、カバー本体２７が、ハウジング後部２１から導出された直後の電線１９を収容する電線収容部２９と、電線収容部２９に連設され電線収容部２９から直交方向に曲げられた電線１９を覆うコルゲートチューブ固定部３１と、を有する。コルゲートチューブ固定部３１は、導出される電線１９が内方に配置される半円筒壁部３３を有する。半円筒壁部３３は、基端がカバー本体２７に連設されるとともに、先端側とコネクタハウジング１７に対面する側とが開放され、外周には補強用の一対の平行な張出壁３５（図３参照）が形成されている。
【００１９】
半円筒壁部３３の内方を通る複数の電線１９は、一括してコルゲートチューブ３７に挿通される。つまり、複数の電線１９は、コルゲートチューブ３７によって保護される。コルゲートチューブ３７は、合成樹脂製とされ、外周に周方向の溝部３９と突条部４１とを交互に配した蛇腹状をなすとともに可撓性を有しており、湾曲させつつ撓み変形できるよう構成されている。このコルゲートチューブ３７によってハウジング後部２１から導出された電線１９の周りを囲むことで、電線１９が外部に剥き出しにならずに保護される。
【００２０】
半円筒壁部３３の内周方向には、図５に示すように、半円弧状の係合鍔部４３が平行に一対設けられている。係合鍔部４３は、半円筒壁部３３の半径方向内側に突出することで、コルゲートチューブ３７の外周に係合する。
【００２１】
半円筒壁部３３の周方向のそれぞれの開放側には、結束バンド４５（図１参照）を通すバンド挿通穴４７が穿設される。結束バンド４５は、バンド挿通穴４７に挿通されることで、半円筒壁部３３の内周側にコルゲートチューブ３７を巻き付けて固定する。結束バンド４５は、合成樹脂からなる可撓性を有する結束帯４９（図１参照）の基端に、係止片を内部に備えたバックル部５１が固定される。結束帯４９の表面には係止片に係止する複数の係止溝が長手方向に形成される。結束バンド４５は、バックル部５１の貫通穴に結束帯４９の先端を通すことで、係止片によって抜けが規制され、ループ内に配置したコルゲートチューブ３７を半円筒壁部３３に固定する。
【００２２】
電線収容部２９は、配索される電線１９の周囲を覆う壁部５３と、壁部５３を貫通する一対の水抜き孔であるスリット開口６３と、一対のスリット開口６３の隣接するそれぞれの開口端５５（図６参照）から立ち上がり、且つ曲面状の頂部５７を有して壁部５３の内面５９に突設される水誘導突部６１と、を備える。
【００２３】
一対のスリット開口６３は、電線１９の軸線に沿って併設されると共に、電線１９の軸線と交差する方向にそれぞれ延びている。また、本実施形態の水誘導突部６１は、電線１９の軸線と交差する方向に延びた突条とされる。
【００２４】
壁部５３は、電線１９の軸線に沿って延びる底部６７（図４,５参照）と、底部６７の両側縁から起立する側部６９とを有する。スリット開口６３は、底部６７と側部６９により形成される壁部５３の両隅部７１（図４参照）に設けられる。水誘導突部６１は、両隅部７１のスリット開口６３の間に延設されている。
【００２５】
次に、上記のように構成される水抜き構造の作用を説明する。
図７に示すように、上述した本第１実施形態に係る電線カバー１１の水抜き構造では、電線１９を覆う壁部５３の内面５９に水誘導突部６１が突設されており、水誘導突部６１の頂部５７に電線１９が接触すると、電線１９は、接触位置で壁部５３から離れ、壁部５３との間に隙間ｄを有して配置される。即ち、壁部５３と電線１９との間には隙間ｄによって水の移動通路が確保される。これにより、壁部５３の内面５９を流れる水は、移動通路を伝い、電線１９によって阻害されることなく、スムーズにスリット開口６３へと誘導されて、電線カバー１１の外方へ排水される。また、水誘導突部６１が頂部５７を有する曲面状に形成されていることで、振動等によって接触した電線１９に傷つきが生じることはない。
【００２６】
また、断面円形状の電線１９が壁部５３の内面５９に接すると、電線１９は内面５９に線接触となり、スリット開口６３が電線１９と交差する方向に延びていることで、スリット開口６３は電線１９から径方向へはみ出した部分が必ず開口となって確保される。これにより、スリット開口が電線１９に沿う方向に形成された場合のように、スリット開口６３が電線１９によって閉塞されることがない。
また、一対の平行なスリット開口６３に挟まれるようにして突条の水誘導突部６１が形成されることで、電線１９が壁部５３の内面５９から離間して、それぞれのスリット開口６３が大きく開口される。これにより、表面張力等による排水抵抗が生じにくくなる。更に、水誘導突部６１が電線１９の軸線と交差する方向に延在していることで、振動等によって電線１９が移動しても、同等のスリット開口面積が確保され、排水性能が低下しない。
【００２７】
更に、スリット開口６３が底部６７を挟む両隅部７１（図４参照）に形成されることで、例えば一本の電線１９が隅部７１に沿って配索されることで、電線１９が底部６７と側部６９とに同時に線接触しても、電線１９と交差する方向のスリット開口６３が電線１９を横断して底部６７及び側部６９の双方で開口する。これにより、電線１９と底部６７との隙間ｄを伝う水と、電線１９と側部６９との隙間ｄを伝う水とのいずれもがスリット開口６３へ誘導可能となる。また、この際の電線１９は、スリット開口６３の間に延設された水誘導突部６１によって底部６７と側部６９とから離間されて、スリット開口６３は底部６７及び壁部５３のそれぞれでスリット開口面積が大きく確保される。
【００２８】
次に、図８を参照しながら本発明の第２実施形態に係る水抜き構造を備えるプロテクタ７３を説明する。
上記第１実施形態では水抜き構造が電線カバー１１に用いられる場合を例に説明したが、本発明の水抜き構造は本第２実施形態のようにプロテクタ７３にも好適に用いることができる。
自動車用ワイヤハーネスは、経路規制や重要電線の保護機能強化のために、所要の配索領域では、樹脂成形品からなる電線保護部材としてのプロテクタ７３に電線１９を貫通させている。プロテクタ７３は、樋状の本体７５に、蓋部７７を組み合わせて筒状に形成される。
【００２９】
本体７５は、電線１９に沿って長尺の底板部８１の長手方向に沿う両側から起立し、電線１９を挟み離間する両側部７９を有する。即ち、本体７５は、長手方向に直交する断面形状が、上方の開放されたＵ字形状となる。この上方の開放部分は、本体内方の電線収容空間８３を開放する本体開口部８５となる。
【００３０】
そして、電線１９の軸線に沿って延びる底板部８１と、底板部８１の両側縁から起立する両側部７９とを有するプロテクタ７３においては、一対のスリット開口６３が、底板部８１と両側部７９により形成される両隅部７１に設けられ、水誘導突部６１が、両隅部７１の一対のスリット開口６３の間に延設される。
【００３１】
これにより、上記電線カバー１１と同様に、本体７５の内面５９を流れる水は、移動通路を伝い、電線１９によって阻害されることなく、スムーズにスリット開口６３へと誘導されて、プロテクタ７３の外方へ排水される。また、水誘導突部６１が頂部５７を有する曲面状に形成されていることで、振動等によって接触した電線１９に傷つきが生じることはない。
【００３２】
従って、上記各実施形態に係る電線カバー１１及びプロテクタ７３の水抜き構造によれば、水抜き孔でありスリット開口６３への水の誘導が電線１９により阻害されることを防止できる。
なお、本発明の電線保護部材の水抜き構造は、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
【符号の説明】
【００３３】
１１…電線カバー（電線保護部材）
１９…電線
５３…壁部
５５…開口端
５７…頂部
５９…内面
６１…水誘導突部
６３…スリット開口（水抜き孔）
６７…底部
６９…側部
７１…隅部
７３…プロテクタ（電線保護部材）
【図１】
2014027754.tif 000003
【図２】
2014027754.tif 000004
【図３】
2014027754.tif 000005
【図４】
2014027754.tif 000006
【図５】
2014027754.tif 000007
【図６】
2014027754.tif 000008
【図７】
2014027754.tif 000009
【図８】
2014027754.tif 000010
【図９】
2014027754.tif 000011